(57)【特許請求の範囲】
【請求項１】
駆動軸に取付けられた巻取ドラムに巻付けられた紐体に被昇降体が吊下げられ、前記駆動軸にはばねを設け、被昇降体を外力によりばねの付勢力に抗して下降させると巻取ドラムの回転で駆動軸が回転し前記ばねに反力が蓄勢され、外力を取り除くと前記ばねの付勢力で駆動軸及び巻取ドラムが回転され被昇降体が巻取ドラムに巻き上げられ上昇する昇降装置であって、
ギアとレールに沿って摺動自在に設けられたラックの組合せからなり、前記駆動軸の回転運動を前記ラックの往復運動に変換する変換機構と、
前記ラックの先端に設けられ、ワイヤまたは突出部を有する移動体と、
前記レールに取り付け位置調整可能に設けられ、前記ワイヤまたは突出部を係止するハートカムまたはプッシュキャッチのロック機構と、が備えられ、
前記被昇降体を下降させる時、前記移動体が調整された所定位置で前記ロック機構に係合してロックされ、前記被昇降体がその位置に停止でき、前記被昇降体をさらに下降させて外力を取り除くとロックが解除され、ばねの付勢力で前記被昇降体が上昇することを特徴とする昇降装置。
【請求項２】
駆動軸に取付けられた巻取ドラムに巻付けられた紐体に被昇降体が吊下げられ、前記駆動軸にはばねを設け、被昇降体を外力によりばねの付勢力に抗して下降させると巻取ドラムの回転で駆動軸が回転し前記ばねに反力が蓄勢され、外力を取り除くと前記ばねの付勢力で駆動軸及び巻取ドラムが回転され被昇降体が巻取ドラムに巻き上げられ上昇する昇降装置であって、
前記駆動軸の端部に回動自在に嵌合され、ハートカム形の溝を有するハートカムプレートと、
前記駆動軸に取り付けられ、前記被昇降体の下降時は、前記駆動軸の回転を前記ハートカムプレートに伝達せず、前記被昇降体の上昇時は、前記駆動軸の回転を前記ハートカムプレートに伝達するクラッチスプリングと、
前記昇降装置のケース側面に固設され、先端が前記溝に嵌合するロック爪と、が備えられ、
前記被昇降体を下降させる時、前記ハートカムプレートは回転せず、また前記ロック爪によるロックもされず、前記被昇降体の下降が停止されて前記昇降体が上昇すると、前記クラッチスプリングによって前記ハートカムプレートが回転されて前記ロック爪が前記ハートカムプレートの溝でロックされ、前記被昇降体がその位置に停止でき、前記被昇降体をさらに下降させて外力を取り除くとロックが解除され、ばねの付勢力で前記被昇降体が上昇することを特徴とする昇降装置。
【請求項３】
被昇降体の移動速度を調節する緩動機構を具備したことを特徴とする請求項１または２に記載の昇降装置。
【請求項４】
前記駆動軸の回転運動を往復運動に変換する変換機構は、複数のプーリと該プーリ間に懸回されたベルトであり、前記プーリの１つは駆動軸側に、移動体はベルトに取付けられ、前記ロック機構は前記ベルトの走行通路に隣接して設けられていることを特徴とする請求項１記載の昇降装置。
【請求項５】
前記ばねは、ゼンマイばね、捩りばねまたはネゲーターである請求項１または２に記載の昇降装置。
【発明の詳細な説明】
【０００１】
【発明の属する技術分野】
本発明は、例えば天井埋込型空気調和機の吸込グリル等を昇降させる昇降装置に関する。
【０００２】
【従来の技術】
従来、天井埋込型空気調和機の吸込グリルの昇降装置として、特開平９−２２２２３８号公報に開示されている。この昇降装置は、昇降用モータによって主プーリを回動させ、主プーリに巻回される１本の吊り紐によって吸込グリルを釣支し、昇降用モータによって吊り紐を繰り出し／巻き上げすることで吸込グリルを昇降させるものである。
【０００３】
【発明が解決しようとする課題】
しかしながら、このような従来の吸込グリルの昇降装置は、次のような課題がある。
（１）昇降駆動源がモータであるため部品コストがかかる。
（２）昇降駆動源がモータであるため電力消費コストがかかる。
（３）昇降駆動源がモータであるため停電等の異常時には作動不可能となる。
（４）巻取ユニットがブラインド方式のため、スペースを大きく必要とする。
【０００４】
本発明は、このような点に鑑み昇降駆動源を、ゼンマイばね、捩りばね、ネゲーター等のばねにすることによって前記従来の課題を解決した昇降装置を提供することを目的とするものである。
【０００５】
【課題を解決するための手段】
前記目的を達成するため、本発明の請求項１にかかる昇降装置は、駆動軸に取付けられた巻取ドラムに巻付けられた紐体に被昇降体が吊下げられ、前記駆動軸にはばねを設け、被昇降体を外力によりばねの付勢力に抗して下降させると巻取ドラムの回転で駆動軸が回転し前記ばねに反力が蓄勢され、外力を取り除くと前記ばねの付勢力で駆動軸及び巻取ドラムが回転され被昇降体が巻取ドラムに巻き上げられ上昇する昇降装置であって、ギアとレールに沿って摺動自在に設けられたラックの組合せからなり、前記駆動軸の回転運動を前記ラックの往復運動に変換する変換機構と、前記ラックの先端に設けられ、ワイヤまたは突出部を有する移動体と、前記レールに取り付け位置調整可能に設けられ、前記ワイヤまたは突出部を係止するハートカムまたはプッシュキャッチのロック機構と、が備えられ、前記被昇降体を下降させる時、前記移動体が調整された所定位置で前記ロック機構に係合してロックされ、前記被昇降体がその位置に停止でき、前記被昇降体をさらに下降させて外力を取り除くとロックが解除され、ばねの付勢力で前記被昇降体が上昇することを特徴とする。
【０００６】
また、本発明の請求項２にかかる昇降装置は、駆動軸に取付けられた巻取ドラムに巻付けられた紐体に被昇降体が吊下げられ、前記駆動軸にはばねを設け、被昇降体を外力によりばねの付勢力に抗して下降させると巻取ドラムの回転で駆動軸が回転し前記ばねに反力が蓄勢され、外力を取り除くと前記ばねの付勢力で駆動軸及び巻取ドラムが回転され被昇降体が巻取ドラムに巻き上げられ上昇する昇降装置であって、前記駆動軸の端部に回動自在に嵌合され、ハートカム形の溝を有するハートカムプレートと、前記駆動軸に取り付けられ、前記被昇降体の下降時は、前記駆動軸の回転を前記ハートカムプレートに伝達せず、前記被昇降体の上昇時は、前記駆動軸の回転を前記ハートカムプレートに伝達するクラッチスプリングと、前記昇降装置のケース側面に固設され、先端が前記溝に嵌合するロック爪と、が備えられ、前記被昇降体を下降させる時、前記ハートカムプレートは回転せず、また前記ロック爪によるロックもされず、前記被昇降体の下降が停止されて前記昇降体が上昇すると、前記クラッチスプリングによって前記ハートカムプレートが回転されて前記ロック爪が前記ハートカムプレートの溝でロックされ、前記被昇降体がその位置に停止でき、前記被昇降体をさらに下降させて外力を取り除くとロックが解除され、ばねの付勢力で前記被昇降体が上昇することを特徴とする。
【０００７】
また、本発明の請求項３にかかる昇降装置は、被昇降体の移動速度を調節する緩動機構を具備したことを特徴とする。
【０００８】
また、本発明の請求項４にかかる昇降装置は、前記駆動軸の回転運動を直線往復運動に変換する変換機構が、複数のプーリと該プーリ間に懸回されたベルトであり、前記プーリの１つは駆動軸側に、移動体はベルトに取付けられ、前記ロック機構は前記ベルトの走行通路に隣接して設けられていることを特徴とする。
【０００９】
また、本発明の請求項５にかかる昇降装置は、前記ばねが、ゼンマイばね、捩りばねまたはネゲーターであることを特徴とする。
【００１０】
【発明の実施の形態】
以下、本発明の昇降装置を天井埋込型空気調和機に適用した場合の実施の形態について図面とともに詳細に説明する。
（実施の形態１）
図１は本発明の実施の形態１を示す平面図、図２は本発明の実施の形態１を示す一部破断側面図、図３（ａ），（ｂ）は本発明の実施の形態１の要部を示す部分平面図、図４は本発明の実施の形態１を示す正面図、図５は本発明の実施の形態１の要部を示す正面図、図６は本発明の他の実施の形態の要部を示す正面図、図７は図２のＡ矢視図、図８は他のロック機構を示し、（ａ）は平面、（ｂ）は断面を示す。
【００１１】
同図において、１は化粧パネル、２は被昇降体としての吸込グリルを示し、吸込グリル２の昇降装置は、化粧パネル１の裏面に取付けられる。
【００１２】
昇降装置は、駆動軸３に取付けられた巻取ドラム４に巻付けられた紐体５に吸込グリル２が吊下げられ、前記駆動軸３にはゼンマイばね、捩りばね又はネゲーターなどのばねを設け、吸込グリル２を外力によりばねの付勢力に抗して下降させると巻取ドラム４の回転で駆動軸３が回転し前記ばねに反力が蓄勢され、外力を取り除くと前記ばねの付勢力で駆動軸３および巻取ドラム４が回転され吸込グリル２が巻取ドラム４に巻き上げられ上昇するようになっている。
【００１３】
前記ばねのうち、ゼンマイばねおよびネゲーターは、ケース６内に設けられ、捩りばね７は、図６に示すように駆動軸３内に配置されている。また、前記巻取ドラム４は、本例においては駆動軸３に２個設けられ、吸込グリル２は２本の紐体５で吊下げられている。
【００１４】
また、駆動軸３は、本例においては化粧パネル１の略全長にわたって架設される長尺なものであるが、こうすると化粧パネル１の補強になるため化粧パネル１の撓みが防止できて好ましい。
【００１５】
前記駆動軸３には、駆動軸３の回転運動を往復運動に変換する伝動機構（変換機構）８を介して往復運動する移動体９が連結される。前記伝動機構８として本例ではギアとレールに沿って摺動自在に設けられたラックの場合を説明する。
【００１６】
駆動軸３と直交する方向にレール１０が固設され、このレール１０にはラック１１が摺動自在に設けられ、このラック１１に移動体９が固着されている。そして、前記駆動軸３とラック１１とは、ギア１２，１３，１４を介して連結され、駆動軸３の回転が、ラック１１に伝動され、ラック１１をレール１０に沿って摺動させるようになっている。従って、ラック１１に移動体９が固着されているために、移動体９もラック１１と共に移動する。なお、ここでギア１２，１３，１４を設けたのは駆動軸３の回転を減速させるためであり、ギア１３がギア１２および１４より大径となっている。
【００１７】
さらに、前記レール１０にはロック機構１５が設けられ、移動体９をロックおよびロック解除可能となっている。前記ロック機構１５としては、ハートカム１６およびプッシュキャッチ１７を挙げることができる。また、レール１０にはラック１１の移動を緩やかにするダンパー１８が設けられている。ダンパー１８は被昇降体としての吸込グリル２の移動速度を調整する緩動機構として作用するものである。
【００１８】
図２および図７はハートカム１６の例を示し、移動体９の先端にワイヤ９ａが固着され、このワイヤ９ａがハートカム１６の形状により係止されてロックされ、また、移動体９を少し移動させることでワイヤ９ａがハートカム１６の係止から外れロック解除されるものである。
【００１９】
すなわち、吸込グリル２を外力により下降させると巻取ドラム４を介して駆動軸３が回転すると同時に、ばねには反力が蓄勢される。この駆動軸３の回転は、ギア１２，１３，１４を介してラック１１に伝動される。するとラック１１はレール１０に沿って摺動するため、このラック１１に固着されている移動体９もラック１１とともに移動するが、レール１０にロック機構としてのハートカム１６が設けられているので、このハートカム１６に移動体９のワイヤ９ａが当接する。ここで吸込グリル２の降下させる外力を取り除くと、ばねに蓄勢された反力により吸込グリル２は巻き上げられようとするが、移動体９のワイヤ９ａがハートカム１６にロックされるためにこの位置に停止する。次に吸込グリル２を外力により少し降下させると移動体９が移動しワイヤ９ａがハートカム１６から外れロックが解除されるため、ばねにより駆動軸３および巻取ドラム４が回転され、吸込グリル２はダンパー１８により緩やかに巻き上げられて上昇する。
【００２０】
従って、ロック機構１５を設ける位置を調整することによって、吸込グリル２の停止位置は自由に調整することができる。
【００２１】
また、図８はプッシュキャッチ１７の例を示し、移動体９の先端に設けられた突出部９ｂがプッシュキャッチ１７に当接するとロックされ、また、一旦少し押し込むとロックが解除されるものである。
【００２２】
なお、本実施の形態１では、駆動軸３の回転運動を往復運動に伝動する伝動機構として、ギアとレールに沿って摺動自在に設けられたラックの組合せの場合を説明したが、本発明はこれに限定されるものではない。例えば、２個のプーリと該プーリ間に巻回されたベルトとし、前記プーリの１つは駆動軸側に、移動体はベルトに取付け、ロック機構をベルトの走行通路に設ける構成でもよい。また、前記プーリおよびベルトに変えて歯車およびチェーンでもよい。
【００２３】
（実施の形態２）
図９は本発明の実施の形態２の要部を示す側面図である、図１０は図９のＺ‐Ｚ線断面図、図１１は本発明の実施の形態２の要部を示す正面図である。本実施例では前記実施例１における回転運動を往復運動に変換する伝動機構８を廃止し、代わりにハートカムプレートを用いた点が異なり、他の構成は同一な構成部分からなるもので、同一構成部分には同一番号を付してその説明を省略する。
【００２４】
駆動軸３の端部にはハートカムプレート２１が回動自在に嵌合されている。ハートカムプレート２１の外周部にはギア２１ａが設けられており、表面にはハートカムの溝２１ｂが形成されている。ハートカムの溝２１ｂにおける各点での深さはＦ点よりもＣ点が深く、Ｄ点よりもＥ点が深く形成されている。
【００２５】
駆動軸３の外周とハートカムプレート２１の外周とにはクラッチスプリング２２が巻回されている。このクラッチスプリング２２は駆動軸３の回転の伝動をハートカムプレート２１に対してオン・オフするものである。つまり、駆動軸３の一方向に対しての回転は伝動し、他方向の回転に対しては伝動しない構成になっている。
【００２６】
ケース６の側面にはロック爪２３が固設されており、ロック爪２３の先端はハートカムプレート２１の溝２１ｂに嵌合する。さらに、ケース６の側面にはハートカムプレート２１のギア２１ａと歯合するダンパー２４が固設されている。ダンパー２４は被昇降体としての吸込グリル２の移動速度を調整する緩動機構として作用するものである。
【００２７】
吸込グリル２を外力により下降させると、巻取ドラム４を介して駆動軸３が回転し、ばねに反力が蓄勢される。駆動軸３の回転に伴い、クラッチスプリング２２を介してハートカムプレート２１も同一方向に回転する。ハートカムプレート２１がＢ方向に回転したとすると、ハートカムプレート２１の溝２１ｂに嵌合するロック爪２３の先端はＣ点を通過してＤ点に至り、ハートカムプレート２１の回転は停止する。ハートカムプレート２１の回転が停止しても、クラッチスプリング２２を介して接続されている駆動軸３は抵抗を受けることなくＢ方向に回転を続ける。
【００２８】
吸込グリル２の下降を停止して僅かに上昇させると、ロック爪２３はＤ点からＧ点に移動し、吸込グリル２はその位置でロックされる。次に、吸込グリル２を外力により僅かに下降させると、ロック爪２３はＧ点からＥ点に移動してロックが解除され、Ｅ点からＦ点を通過してハートカムプレート２１はＡ方向に回転を続けることが出来る。
【００２９】
ハートカムプレート２１がＡ方向に回転可能となったことで、ばねに蓄勢された反力により駆動軸３および巻取ドラム４が回転され、吸込グリル２はダンパー２４により緩やかに巻き上げられて上昇する。
【００３０】
【発明の効果】
以上詳細に説明した通り本発明は、駆動軸に取付けられた巻取ドラムに巻付けられた紐体に被昇降体が吊下げられ、前記駆動軸にはゼンマイばね、捩りばねおよびネゲーター等のばねを設け、被昇降体を外力により前記ばねの付勢力に抗して下降させると巻取ドラムの回転で駆動軸が回転し前記ばねに反力が蓄勢され、外力を取り除くと前記ばねの付勢力で駆動軸及び巻取ドラムが回転され被昇降体が巻取ドラムに巻き上げられ上昇する昇降装置であって、前記駆動軸には駆動軸の回転運動を往復運動に変換する変換機構を介して往復運動する移動体が連結され、この移動体の移動通路にロック機構が設けられ、前記被昇降体の下降時の所定位置において前記移動体が前記ロック機構に係合してロックされ、被昇降体はその位置に停止し、ロック解除によってばねの付勢力で上昇するものであるから、次のような効果を奏する。
（１）駆動源がゼンマイばね、捩りばねおよびネゲーター等のばねであるため、部品コストがかからず安くすむ。
（２）駆動源がゼンマイばね、捩りばねおよびネゲーター等のばねであるため、電力消費がなく電気代がかからず経済的であると共に、停電等の異常時にも使用可能となる。
（３）ロック機構が設けられているため吸込グリル等の被昇降体を下降した所定位置で停止させておくことができる。従って、下降状態で被昇降体を手で押えておく必要もなく、例えば、被昇降体が吸込グリルである場合には、下降させた状態で停止させてフィルターなどの掃除をすることができる。また、ロック機構の位置を調節することによって、被昇降体の下降した停止位置の調節が可能となる。
（４）さらに、駆動源がばねだと巻取部を省スペース化することができる。また、本発明は、駆動軸の回転運動を、伝動機構を介して移動体に伝動し、この移動体を移動経路でロック機構によりロックするようにしたので、簡単な構造で被昇降体の下降した所定位置での停止を確実にすることができる。さらに、ロック機構が、ハートカム又はプッシュキャッチであると、移動体のロックが確実であると共にロックおよびロック解除が容易となる。
【図面の簡単な説明】
【図１】本発明の実施の形態１を示す平面図である。
【図２】本発明の実施の形態１を示す一部破断側面図である。
【図３】（ａ），（ｂ）は本発明の実施の形態１の要部を示す部分平面図である。
【図４】本発明の実施の形態１を示す正面図である。
【図５】本発明の実施の形態１の要部を示す正面図である。
【図６】本発明の実施の形態１の他の要部を示す正面図である。
【図７】図２のハートカムの下側を見た図である。
【図８】（ａ），（ｂ）は本発明の実施の形態１の他のロック機構の一例を示し、（ａ）は平面、（ｂ）は断面を示す。
【図９】本発明の実施の形態２の要部を示す側面図である。
【図１０】図９のＺ‐Ｚ線断面図である。
【図１１】本発明の実施の形態２の要部を示す正面図である。
【符号の説明】
１    化粧パネル
２    被昇降体としての吸込グリル
３    駆動軸
４    巻取ドラム
５    紐体
６    ケース
７    捩りばね
８    変換機構（伝動機構）
９    移動体
１０    レール
１１    ラック
１２，１３，１４    ギア
１５    ロック機構
１６    ハートカム
１７    プッシュキャッチ
２１    ハートカムプレート
２２    クラッチスプリング
２３    ロック爪
２４    ダンパー
【図１】
0004196233.tif 000002
【図２】
0004196233.tif 000003
【図３】
0004196233.tif 000004
【図４】
0004196233.tif 000005
【図５】
0004196233.tif 000006
【図６】
0004196233.tif 000007
【図７】
0004196233.tif 000008
【図８】
0004196233.tif 000009
【図９】
0004196233.tif 000010
【図１０】
0004196233.tif 000011
【図１１】
0004196233.tif 000012